(57)【特許請求の範囲】
【請求項１】
粉剤を充填したカプセルを収納する収納室および、外気取入口から粉剤の吸引口となる外気排出口まで前記収納室を経由して外気を流通させる外気流通路を有する本体部と、前記収納室に配置されるカプセルを貫通して孔を開ける穿孔具と、を備える粉体吸入デバイスにおいて、
前記外気流通路は、前記収納室の下流側に設けられ、一端が前記外気排出口側につながり他端が前記本体部内で側壁面により終端して行き止まりとなる流出側通路と、前記収納室を貫いて前記穿孔具を通過させるとともに前記流出側通路を形成する周壁面に連結される穿孔具通過通路と、を有し、
前記流出側通路の前記側壁面と前記周壁面との間に、少なくとも部分的に延在するとともに該側壁面を残して該側壁面と該周壁面とを連続的につなぐ凹曲面を設け、
前記穿孔具通過通路の、穿孔方向の末端が前記側壁面に連続してつながっていることを特徴とする粉体吸入デバイス。
【請求項２】
前記凹曲面を、前記流出側通路の、少なくとも前記穿孔具通過通路が連結される側とは反対側に配置した、請求項１に記載の粉体吸入デバイス。
【請求項３】
粉剤を充填したカプセルを収納する収納室および、外気取入口から粉剤の吸引口となる外気排出口まで前記収納室を経由して外気を流通させる外気流通路を有する本体部と、前記収納室に配置されるカプセルを貫通して孔を開ける穿孔具と、を備える粉体吸入デバイスにおいて、
前記外気流通路は、前記収納室の下流側に設けられ、一端が前記外気排出口側につながり他端が前記本体部内で側壁面により終端して行き止まりとなる流出側通路と、前記収納室を貫いて前記穿孔具を通過させるとともに前記流出側通路を形成する周壁面に連結される穿孔具通過通路と、を有し、
前記流出側通路の前記側壁面と前記周壁面との間に、少なくとも部分的に延在するとともに該側壁面を残して該側壁面と該周壁面とを連続的につなぐ傾斜面を設け、
前記穿孔具通過通路の、穿孔方向の末端が前記側壁面に連続してつながっていることを特徴とする粉体吸入デバイス。
【請求項４】
前記傾斜面を、前記流出側通路の、少なくとも前記穿孔具通過通路が連結される側とは反対側に配置した、請求項３に記載の粉体吸入デバイス。
【発明の詳細な説明】
【技術分野】
【０００１】
この発明は、患者の吸引によりカプセル内の粉剤を投与するのに適した粉体吸入デバイスに関するものであり、カプセルから取り出した粉剤のスムーズな吸引を実現しようとするものである。
【背景技術】
【０００２】
患者の吸引によりカプセル内の粉剤を投与する粉体吸入デバイスは、喘息患者等において多用されるものであり、従来、このような粉体吸入デバイスとしては、粉剤を充填したカプセルを収納する収納室を有し、この収納室に配置したカプセルに孔を開けたのち、マウスピースを通してカプセル内の粉剤を吸引するものが知られている（特許文献１参照。）。
【先行技術文献】
【特許文献】
【０００３】
【特許文献１】特許第３５３０００４号公報
【発明の概要】
【発明が解決しようとする課題】
【０００４】
しかしながら、上記のような従来の粉体吸入デバイスでは、収納室を上下に貫通して延び穴あけ具のピンを挿通させるピン挿通穴の底壁面が、ピン挿通穴の周壁面から出口側に延びる流出通路よりも下方に配置されており、しかもピン挿通穴の底壁面と周壁面とを接続する隅部が直角に形成されていることから、この隅部近傍における外気の流れの停滞により粉剤の堆積、固着が発生し、粉剤のスムーズな吸引を行い得なくなるといった問題があった。またこのような粉剤の固着は衛生的にも好ましいものではない。
【０００５】
それゆえ、この発明は、カプセルから取り出した粉剤のスムーズな吸引を長期間にわたって実現可能な粉体吸入デバイスを提供することをその目的とするものである。
【課題を解決するための手段】
【０００６】
上記課題を解決するため、この発明の粉体吸入デバイスは、粉剤を充填したカプセルを収納する収納室および、外気取入口から粉剤の吸引口となる外気排出口まで上記収納室を経由して外気を流通させる外気流通路を有する本体部と、上記収納室に配置されるカプセルを貫通して孔を開ける穿孔具と、を備える粉体吸入デバイスにおいて、上記外気流通路は、上記収納室の下流側に設けられ、一端が上記外気排出口側につながり他端が上記本体部内で側壁面により終端して行き止まりとなる流出側通路と、上記収納室を貫いて上記穿孔具を通過させるとともに上記流出側通路を形成する周壁面に連結される穿孔具通過通路と、を有し、上記流出側通路の上記側壁面と上記周壁面との間に、少なくとも部分的に延在するとともに該側壁面を残して該側壁面と該周壁面とを連続的につなぐ凹曲面を設け、上記穿孔具通過通路の、穿孔方向の末端が上記側壁面に連続してつながっていることを特徴とするものである。ここで「部分的に延在する」とは、凹曲面が流出側通路の周方向、あるいは周方向と交差する方向において部分的に存在することを意味する。また、「周方向」とは、流出側通路の延在方向を中心軸として周回する方向を示す。
【０００７】
かかる粉体吸入デバイスにあっては、本体部の収納室にカプセルを配し、穿孔具により該カプセルに孔を開けたのち、患者が吸引口から吸引すると、本体部の外気取入口から流入した外気がカプセル内の粉剤を同伴して穿孔具通過通路およびこれに続く流出側通路を経て本体部の外気排出口から排出され、患者は粉剤を摂取することができる。このとき、穿孔具通過通路を通って収納室から落下した粉剤は流出側通路に受容され、しかも流出側通路の側壁面と周壁面との間に凹曲面を設けたことから、粉剤が側壁面と周壁面との隅部に堆積、固着することなく、スムーズに誘導、排出される。
【０００８】
したがって、この発明の粉体吸入デバイスによれば、流出側通路において粉剤が堆積、固着することがなく、カプセルから取り出した粉剤のスムーズな吸引を長期間にわたって実現することができる。
【０００９】
なお、この発明の粉体吸入デバイスにあっては、上記凹曲面を、上記流出側通路の、少なくとも上記穿孔具通過通路が連結される側とは反対側に配置することが好ましい。
【００１０】
あるいは、この発明の粉体吸入デバイスにあっては、粉剤を充填したカプセルを収納する収納室および、外気取入口から粉剤の吸引口となる外気排出口まで上記収納室を経由して外気を流通させる外気流通路を有する本体部と、上記収納室に配置されるカプセルを貫通して孔を開ける穿孔具と、を備える粉体吸入デバイスにおいて、上記外気流通路は、上記収納室の下流側に設けられ、一端が上記外気排出口側につながり他端が上記本体部内で側壁面により終端して行き止まりとなる流出側通路と、上記収納室を貫いて上記穿孔具を通過させるとともに上記流出側通路を形成する周壁面に連結される穿孔具通過通路と、を有し、上記側壁面と上記周壁面との間に、少なくとも部分的に延在するとともに該側壁面を残して該側壁面と該周壁面とを連続的につなぐ傾斜面を設け、上記穿孔具通過通路の、穿孔方向の末端が上記側壁面に連続してつながっていることを特徴とするものである。
【００１１】
また、この発明の粉体吸入デバイスにあっては、上記傾斜面を、上記流出側通路の、少なくとも上記穿孔具通過通路が連結される側とは反対側に配置することが好ましい。
【００１２】
本発明の粉体吸入デバイスにあっては、上記穿孔具通過通路の、穿孔方向の末端が上記側壁面に連続してつながっているものとする。
【発明の効果】
【００１３】
この発明によれば、カプセルから取り出した粉剤のスムーズな吸引を長期間にわたって実現可能な粉体吸入デバイスを提供することが可能となる。
【図面の簡単な説明】
【００１４】
【図１】この発明の参考例である粉体吸入デバイスの軸方向に沿った断面図である。
【図２】図１に示した粉体吸入デバイスの分解図である。
【図３】（ａ）は第二パーツの底面図であり、（ｂ）は第二パーツの背面図であり、（ｃ）は第二パーツの右側面図であり、（ｄ）は第二パーツの斜視図である。
【図４】図１の粉体吸入デバイスの側面図である。
【図５】図１の粉体吸入デバイスの軸方向に沿った断面図であり、蓋体を開放した状態を示したものである。
【図６】この発明の他の参考例である粉体吸入デバイスの軸方向に沿った要部断面図である。
【図７】（ａ）はこの発明にしたがう第一の実施形態の粉体吸入デバイスの軸方向に沿った要部断面図であり、（ｂ）はこの発明にしたがう第二の実施形態の粉体吸入デバイスの軸方向に沿った要部断面図である。
【図８】この発明の更に他の参考例である粉体吸入デバイスの軸方向に沿った断面図である。
【図９】図８に示した粉体吸入デバイスの軸方向に沿った断面図であり、蓋体を開放した状態を示したものである。
【図１０】図８に示した粉体吸入デバイスの分解図である。
【発明を実施するための形態】
【００１５】
以下、図面に示す実施の形態を参照して、この発明を詳細に説明する。なお、図１中、符号１は、この発明の参考例である粉体吸入デバイスであり、符号Ｃは、粉剤を充填したカプセルである。
【００１６】
図１に示すように、粉体吸入デバイス１は、カプセルＣから取り出した粉剤を分散させつつ患者の口に排出する本体部２と、本体部２内の収納室３に収納されたカプセルＣに孔を開けるための穿孔手段４と、を備えてなる。
【００１７】
具体的には、本体部２は、軸方向Ｘの一端（図１中左側）に患者が口に銜えるまたは口を当てるマウスピース５を有し、他端（図１中右側）に収納室３内へのカプセルＣの装填および取出しを可能とする開閉自在な蓋体６を有する。蓋体６には、患者の吸引により外気を取り入れる外気取入口７が設けられ、マウスピース５には吸引口となる外気排出口８が設けられている。そして、本体部２内には、外気取入口７から外気排出口８までを収納室３を経由して吸引した外気を流通させる外気流通路１０が形成されている。
【００１８】
この参考例では、外気流通路１０は、カプセルＣ内から粉剤を取り出す取出し部Ｓ１と、該取出し部Ｓ１の排出側につながり、経路（内部空間の道のり）を長くしたり流れに変化を与えたりすることによって粉剤を分散させ微細化する分散部Ｓ２と、分散部Ｓ２の排出側につながり粉剤を拡散させる拡散部Ｓ３と、から主として構成されている。なお、これらの要素に加え、流れにスピンを与える要素や流れを整流化する要素を外気流通路１０に加えてもよい（図示省略）。
【００１９】
外気流通路１０の取出し部Ｓ１は、収納室３と、収納室３の上流側で軸方向Ｘに沿って延びる少なくとも一つ、ここでは一つの流入側通路１１と、収納室３の下流側で軸方向Ｘに沿って延びる少なくとも一つ、ここでは一つの流出側通路１２と、後述する穿孔具としてのピン３３ａ、３３ｂを各々通過させるとともに、流入側通路１１、収納室３および流出側通路１２間を相互に連通する少なくとも一つ、ここでは軸方向Ｘに離間して配置された二つの穿孔具通過通路１３ａ、１３ｂと、を有してなる。流入側通路１１と流出側通路１２とは径方向（軸方向Ｘに直交する方向）に収納室３を挟んで位置する。
【００２０】
また、流出側通路１２は、一端が外気排出口８側につながり（開放し）、他端が側壁面１２ａによって本体部２内で終端して行き止まり端となっている。穿孔具通過通路１３ａ、１３ｂの下端（ピン３３ａ、３３ｂの穿孔方向の末端）は、該流出側通路１２の周面を形成する周壁面１２ｂの上側に連結されている。収納室３の底部には、下向き、すなわちピン３３ａ、３３ｂの穿孔方向に窪んでカプセルＣから取り出された粉剤を受ける凹部３ａが形成されている。なお、凹部に代えてリブ（図示省略）を突設して収納室３の下側とカプセルＣとの間に所定の隙間を設けるようにしても良い。また、流入側通路１１は、一端が穿孔具通過通路１３ａを超過して本体部２内で終端し、他端が外気取入口７側につながる（開放する）ものであるが、一端を穿孔具通過通路１３ａとの連結位置にて終端させてもよい。
【００２１】
また、流出側通路１２の側壁面１２ａと周壁面１２ｂとの間には少なくとも一部に、粉剤を外気排出口８側にスムーズに誘導する湾曲面状や球曲状などの凹曲面（アール）１２ｃが形成されている。図示例では、凹曲面１２ｃは側壁面１２ａと周壁面１２ｂとを連続的につなぐものとして形成されている。さらにここでは、側壁面１２ａと周壁面１２ｂとの隅部の下側部分、すなわち、周壁面１２ｂの、穿孔具通過通路１３ａ、１３ｂが連結される側（上側）に対向する側と側壁面１２ａとによって形成される隅部部分に凹曲面１２ｃが形成されている。また、凹曲面１２ｃは、図示例では単一の円弧からなるが、二以上の円弧からなるものであってもよい。
【００２２】
外気流通路１０の分散部Ｓ２は、流出側通路１２の排出側につながり軸方向Ｘおよび径方向に対して傾斜して延びる傾斜路１４と、傾斜路１４から導入された粉剤および外気を一旦受け入れ、流れの方向を変更したのちに二手に分岐する分岐室１５と、各々分岐室１５から軸方向Ｘおよび径方向に対して傾斜して延びる二つの枝路１６ａ、１６ｂと、各枝路１６ａ、１６ｂの排出側につながり軸方向Ｘに迂回しつつ径方向内側に向かう二つの迂回路１７ａ、１７ｂと、迂回路１７ａ、１７ｂの排出側につながり最終的に一つに合流させる合流路１８とからなる。分岐室１５の幅（直径）は、傾斜路１４および枝路１６ａ、１６ｂの幅より大きい。外気と混合された粉剤は、分散部Ｓ２の各経路を通る間に、攪拌、破砕され、微細、分散化される。
【００２３】
外気流通路１０の拡散部Ｓ３は、合流路１８の排出側につながり、外気排出口８に向けて末広がりとなる拡散路５ａからなり、粉剤はこの拡散路５ａを通る間に拡散され、マウスピース５の外気排出口８から排出される。
【００２４】
本体部２の軸方向Ｘの他端に設けられた蓋体６には、マウスピース５による吸引時に外気流通路１０内への外気の導通を許容し、患者が誤って呼気をマウスピース５から吹き込んだ場合には、外気取入口７を閉塞する逆止弁２１が配置されている。逆止弁２１は、必ずしも蓋体６に設ける必要はなく、外気流通路１０内のいずれかの場所に設けることができる。
【００２５】
このような本体部２は、図２に示すように、軸方向Ｘに組付けられてなるものであり、円筒状の筐体２３と、筐体２３の軸方向Ｘの一端に嵌合保持されるマウスピース５と、筐体２３の内部に収容保持される第一〜第四パーツ２４〜２７と、蓋体６とからなる。筐体２３には、穿孔手段４のピン３３ａ、３３ｂが挿通されるピン挿通孔２３ａ、２３ｂが二箇所形成されている。以下の説明で「先端側」とは、軸方向Ｘにおいてマウスピース５が位置する側（図２では左側）を意味し、「後端側」とは、軸方向Ｘにおいて蓋体６が位置する側（図２では右側）を意味する。
【００２６】
マウスピース５の後端側に組み付けられるとともに筐体２３の先端側の開口から挿入される第一パーツ２４は、有底の二重円筒形状を有し、外筒２４ａと内筒２４ｂとの間には環状溝２４ｃが形成されている。また、底部より先端側に突出する内筒２４ｂの端部２４ｂ１は、マウスピース５の凹所５ｂ内に嵌合するものであり、内筒２４ｂの後端側の端部２４ｂ２は、内周面が後端側に向けて僅かに末広がりに形成されている。内筒２４ｂの内周面は、第二パーツ２５と協働して上記合流路１８を形成する。また、外筒２４ａの外周面には、組付け時に筐体２３の一端（先端）に当接して軸方向Ｘに位置決めされる環状のフランジ２４ｄが設けられている。
【００２７】
第一パーツ２４の後端側に組み付けられるとともに筐体２３の後端側の開口から挿入される第二パーツ２５は略円柱状をなし、先端側の面に、円錐状凹部２５ａとこの中心から突出する円錐形の隆起部２５ｂと有し、後端側の面に第三パーツ２６と協働して上記分岐室１５を形成する半球部２５ｃを有している。また、図３にも併せて示すように、第二パーツ２５の外周面の一部には、軸方向Ｘに延びる溝２５ｄ、２５ｅが形成されている。これらの円錐状凹部２５ａ、隆起部２５ｂおよび溝２５ｄ、２５ｅは、第一パーツ２４と協働して上記迂回路１７ａ、１７ｂを形成する。さらに、半球部２５ｃからは、後端側に向けて傾斜して延びる溝２５ｆが形成されている。この溝２５ｆは、後述する第三パーツ２６の溝２６ｃと協働して上記傾斜溝１４を形成する。また、第二パーツ２５の外周面には、第一パーツ２４における外筒２４ａの後端側の端部に当接して軸方向Ｘに位置決めされる段差部２５ｇが形成されている。
【００２８】
第二パーツ２５の後端側に組み付けられるとともに筐体２３の後端側の開口から挿入される第三パーツ２６は略円柱状をなし、先端側の面に、第二パーツ２５の後端側の端部が挿入される凹部２６ａを有する。凹部２６ａには第二パーツ２５の半球部２５ｃと協働して分岐室１５を形成する半球部２６ｂが形成されている。半球部２６ｂからは後端側の面に向けて傾斜して延びるとともに第二パーツ２５の上記溝２５ｆと協働して上記傾斜溝１４を形成する溝２６ｃが形成されている。また、凹部２６ａを形成する周壁における先端側の端部が、筐体２３の内周面に形成された段差部２３ｃに当接して軸方向Ｘにおいて位置決めされる。
【００２９】
第三パーツ２６の後端側に組付けられるとともに筐体２３の後端側の開口から挿入される第四パーツ２７は、略円柱状をなし、内部に上記収納室３、流入側通路１１、流出側通路１２および穿孔具通過通路１３ａ、１３ｂが形成されている。
【００３０】
第四パーツ２７の後端側には、上記蓋体６が連結部としての枢軸Ｐを介して第四パーツ２７に開閉可能に連結されている。連結部は枢軸Ｐに代えてヒンジを適用することもできる。また、蓋体６を嵌着や螺着によって装着するように構成することもできる。図４に示すように、蓋体６の両側には、係止片６ａが一体的に設けられている。この係止片６ａの先端には爪部６ｂが設けられており、この爪部６ｂを、筐体２３の外周面に設けられた溝２３ｄで係止することで蓋体６を閉じた状態に保持する。
【００３１】
一方で、穿孔手段４は、図１に示すように、本体部２の筐体２３に一体成形されるとともに上端部に開口を有する筒体３０と、この筒体３０の内側にてスプリング３１のような弾性部材にてスライド可能に支持され、上端部の開口より抜け出し不能に露出する押しボタン３２と、この押しボタン３２の穴部に嵌合保持され、該押しボタン３２の押圧にて穿孔具通過通路１３ａ、１３ｂを通して収納室３に先端を導入してカプセルＣの穿孔を行う穿孔具としての中空のピン３３ａ、３３ｂとからなる。ピン３３ａ、３３ｂは中実体でもよい。さらに、筒体３０の上端部には、ねじあるいはアンダーカットにより係合され、押しボタン３２の抜け出しを防止するキャップ３４が設けられている。
【００３２】
上記の構成になる粉体吸入デバイス１において、カプセルＣを収納室３に配置するには、蓋体６の係止片６ａを両側から内側に向けて押し込み、その爪部６ｂによる筐体２３との連係を解除して、図５に示すように、蓋体６を枢軸Ｐを基点にして回動させればよく、これにより、収納室３が開放されカプセルＣを簡単に装填することができる。
【００３３】
そして、収納室３内に配置したカプセルＣ内の粉剤を吸引するには、先ず、押しボタン３２を押し込む。そうすると、押しボタン３２につながるピン３３ａ、３３ｂがスプリング３１の反発力に抗して収納室３へと導入されその先端部分でカプセルＣに孔が開けられる。
【００３４】
カプセルＣに孔を開けたのち、マウスピース５を口で銜え込んで吸気すると、図１中の矢印のように逆止弁２１を通って外気が収納室３内へと流入し、カプセルＣ内の粉剤と混合され、流出側通路１２を通って外気流通路１０の分散部Ｓ２へと導入される。このとき、流出側通路１２の上流側の側壁面１２ａの下側隅部は、収納室３から落下した粉剤が堆積して固着し易い箇所であるが、この粉体吸入デバイス１は、その部位に、凹曲面（アール）１２ｃを設けてあり、流出側通路１２に粉剤と同伴して流入した外気がスムーズに排出側に向けて誘導され、粉剤が堆積、固着することがない。
【００３５】
分散部Ｓ２では、図１中の矢印に示すような流れにより粉剤が拡散、破砕されてマウスピース５の外気排出口８（吸引口）からは微細、分散化された粉剤として排出される。
【００３６】
したがって、この粉体吸入デバイス１によれば、流出側通路１２内において粉剤が堆積、固着することがなく、カプセルＣから取り出した粉剤のスムーズな吸引を長期間にわたって実現することができる。
【００３７】
また、この参考例によれば、凹曲面１２ｃを、流出側通路１２の側壁面１２ａと周壁面１２ｂとの間の隅部下側に配置したことから、収納室３から落下してきた粉剤の、周壁面１２ｂ下側と側壁面１２ａとによって形成される隅部への堆積、固着を確実に防止することができる。
【００３８】
また、この参考例によれば、外気流通路１０において分散部Ｓ２を設けたことから、粉剤が排出経路と接触する時間および距離を長くすることができ、粉剤を効率的に微細化させることができる。また、迂回路１７ａ、１７ｂを形成する溝２５ｄ、２５ｅを第二パーツ２５の外周面に設けたことで、本体部２の大きさを変更することなく、排出経路を効率的に延長することができる。さらに、この参考例では、分散部Ｓ２において分岐室１５を設けたことにより、この分岐室１５での流れの変更に伴う粉剤同士の接触および粉剤と壁面との接触により、より一層粉剤を微細化することができる。しかも、分岐室１５の幅（直径）を、傾斜路１４及び枝路１６ａ、１６ｂの幅よりも大きくしたので、分岐室１５内での外気の攪拌が効率的に行われる。また、分散部Ｓ２に迂回路１７ａ、１７ｂを設けるにあたり、経路を軸方向Ｘに折り返しつつ径方向内側に延在させたことから、排出経路が延長されたことに起因する本体部２の大型化はない。
【００３９】
以下、この発明の他の参考例及び実施形態について図６〜１０を参照して説明する。なお、以下の実施形態において上記参考例と同様の部材には同一の符号を付しその説明を省略する。
【００４０】
図６に示す他の参考例は、流出側通路１２の周壁面１２ｂと側壁面１２ａとの間に凹曲面１２ｃに代えて傾斜面１２ｃ’を設けた例である。この参考例によれば、先の参考例と同様、流出側通路１２に粉剤と同伴して流入した外気がスムーズに排出側に向けて誘導され、粉剤が堆積、固着することがない。
【００４１】
図７（ａ）、（ｂ）に示すこの発明の第一、第二の実施形態では、一方の穿孔具通過通路１３ｂの下端が側壁面１２ａに連続してつながっている。すなわち、穿孔具通過通路１３ｂの下端の後端側の軸方向Ｘにおける位置ｘ１が側壁面１２ａと一致している。これによれば、穿孔具通過通路１３ｂを通って収納室３から落下した粉剤がよりスムーズに排出側に流れるとともに、流出側通路１２の側壁面１２ａ近傍における外気の流れがより活発となって、流出側通路１２内での粉剤の堆積、固着がより一層防止される。
【００４２】
図８〜１０に示す更に他の参考例は、カプセルＣを縦向き（カプセルＣの長手方向が穿孔手段４のピンの穿孔方向に一致にする向き）装填するタイプの粉体吸入デバイス１である。
【００４３】
以上、図示例に基づきこの発明を説明したが、この発明は上述の実施形態に限定されるものでなく、特許請求の範囲の記載範囲内で適宜変更することができるものである。例えば、流出側通路１２の周壁面１２ｂと側壁面１２ａとの間に設けた凹曲面１２ｃまたは傾斜面１２ｃ’は、周壁面１２ｂと側壁面１２ａとの隅部の下側部分に設けると説明したが、隅部の全周に亘って設けてもよく、これによれば、流出側通路１２内での外気の流れをよりスムーズにすることができる。また、上記図示例では、流入側通路１１および流出側通路１２はそれぞれ一つずつ設けると説明したが、複数（例えば、二つずつ）設けてもよい。さらに、流入側通路１１および流出側通路１２は軸方向Ｘに沿って延びると説明したが、軸方向Ｘに傾斜して延びるものであってもよく、互いに平行に延在させる必要もない。また、外気流通路１０における分散部Ｓ２を設けず、流出側通路１２を直接マウスピース５の拡散路５ａにつなげて、あるいは分散部Ｓ２における経路を図示例よりも短くして、本体部２の軸方向Ｘに沿った長さの短縮化を図ってもよい。
【産業上の利用可能性】
【００４４】
かくして、この発明により、カプセルから取り出した粉剤のスムーズな吸引を長期間にわたって実現可能な粉体吸入デバイスを提供することが可能となった。
【符号の説明】
【００４５】
１  粉体吸入デバイス
２  本体部
３  収納室
４  穿孔手段
５  マウスピース
６  蓋体
７  外気取入口
８  外気排出口
１０  外気流通路
１１  流入側通路
１２  流出側通路
１２ａ  側壁面
１２ｂ  周壁面
１２ｃ  凹曲面（アール）
１２ｃ’  傾斜面
１３ａ、１３ｂ  穿孔具通過通路
１４  傾斜路
１５  分岐室
１６ａ、１６ｂ  枝路
１７ａ、１７ｂ  迂回路
１８  合流路
２１  逆止弁
３３ａ、３３ｂ  ピン（穿孔具）
【図１】
0005638826.tif 000002
【図２】
0005638826.tif 000003
【図３】
0005638826.tif 000004
【図４】
0005638826.tif 000005
【図５】
0005638826.tif 000006
【図６】
0005638826.tif 000007
【図７】
0005638826.tif 000008
【図８】
0005638826.tif 000009
【図９】
0005638826.tif 000010
【図１０】
0005638826.tif 000011